【手続補正書】
【提出日】平成25年8月9日(2013.8.9)
【手続補正１】
【補正対象書類名】特許請求の範囲
【補正対象項目名】全文
【補正方法】変更
【補正の内容】
【特許請求の範囲】
【請求項１】
画像形成装置本体に開閉可能なドアと、
前記ドアを開いた状態で、前記画像形成装置本体に着脱可能な第１のカートリッジと、前記第１のカートリッジの上方に着脱可能な第２のカートリッジとを有し、
前記ドアは、前記ドアを閉じた状態で、前記第２のカートリッジと接触する接触部を有する画像形成装置において、
前記ドアは、前記第１のカートリッジを前記画像形成装置から取り外す際に、前記第１のカートリッジに当接して、前記第１のカートリッジを前記接触部と干渉しない経路を通る様に規制する着脱経路規制部材を有することを特徴とする画像形成装置。
【請求項２】
前記着脱経路規制部材は、前記第１のカートリッジを前記接触部と干渉しない方向にガイドする斜面を有することを特徴とする請求項１に記載の画像形成装置。
【請求項３】
前記接触部は、前記ドアから突出しており、
前記着脱経路規制部材の斜面は、前記第１のカートリッジを取り外す際に、前記第１のカートリッジを前記ドアの前記接触部と干渉しない経路を通るように規制することを特徴とする請求項２に記載の画像形成装置。
【請求項４】
前記第１のカートリッジは、前記ドアを閉めた際に、前記着脱経路規制部材との接触を避けるための逃げ部を有することを特徴とする請求項１乃至３のいずれか１項に記載の画像形成装置。
【請求項５】
前記着脱経路規制部材は、前記ドアを開いた状態において、前記第１のカートリッジを取り出す方向において、前記接触部を覆う様に設けられていることを特徴とする請求項１乃至４のいずれか１項に記載の画像形成装置。
【請求項６】
前記第２のカートリッジは、前記ドアを閉めた際に、前記着脱経路規制部材との接触を避けるための逃げ部を有することを特徴とする請求項５に記載の画像形成装置。
【請求項７】
前記接触部は、前記ドアを閉めた状態で、前記第２のカートリッジへ電気信号を送る接点又は、前記第２のカートリッジを位置決めする押圧部であることを特徴とする請求項１乃至６のいずれか１項に記載の画像形成装置。
【請求項８】
前記第１のカートリッジは、少なくとも感光体を有した、ドラムカートリッジであることを特徴とする請求項１乃至７のいずれか１項に記載の画像形成装置。
【請求項９】
前記第２のカートリッジは、少なくとも現像器を有した、現像カートリッジであることを特徴とする請求項１乃至８のいずれか１項に記載の画像形成装置。
【請求項１０】
画像形成装置本体に開閉可能なドアと、
前記ドアを開いた状態で、前記画像形成装置本体に着脱可能な第１のカートリッジと、前記第１のカートリッジの上方に着脱可能な第２のカートリッジとを有し、
前記ドアは、前記ドアを閉じた状態で、前記第２のカートリッジと接触する接触部を有する画像形成装置において、
前記第１のカートリッジは、前記第１のカートリッジを前記画像形成装置本体から取り外す際に、前記ドアと当接して、前記第１のカートリッジを前記接触部と干渉しない経路を通る様に規制する着脱経路規制部材を有することを特徴とするカートリッジ。
【請求項１１】
前記接触部は、前記ドアから突出しており、
前記着脱経路規制部材の突出し量は、前記接触部の前記ドアからの突出し量よりも大きいことを特徴とする請求項１０に記載のカートリッジ。
【請求項１２】
前記着脱経路規制部材は、前記第１のカートリッジが前記画像形成装置本体内に位置している際に、取り出し方向において、前記着脱経路規制部材の位置が、前記第１のカートリッジの重心位置よりもドア側に設けられていることを特徴とする請求項１０または１１に記載のカートリッジ。
【請求項１３】
前記第１のカートリッジは、前記第１のカートリッジが前記画像形成装置本体内に位置している際に、前記着脱経路規制部材により支持されることを特徴とする請求項１０または１１に記載のカートリッジ。
【請求項１４】
前記着脱経路規制部材は、前記第１のカートリッジを取り出す方向において、前記接触部の幅よりも大きい幅を有し、前記ドアを開いた状態において、前記第１のカートリッジの着脱時に、前記第１のカートリッジを取り出す方向において、前記接触部を覆うことを特徴とする請求項１０乃至１３のいずれか１項に記載のカートリッジ。
【請求項１５】
前記接触部は、前記ドアを閉めた状態で、前記第２のカートリッジへ電気信号を送る接点又は、前記第２のカートリッジを位置決めする押圧部であることを特徴とする請求項１０乃至１４のいずれか１項に記載の画像形成装置。
【請求項１６】
前記第１のカートリッジは、少なくとも感光体を有した、ドラムカートリッジであることを特徴とする請求項１０乃至１５のいずれか１項に記載のカートリッジ。
【請求項１７】
前記第２のカートリッジは、少なくとも現像器を有した、現像カートリッジであることを特徴とする請求項１０乃至１６のいずれか１項に記載のカートリッジ。
【請求項１８】
画像形成装置本体に開閉可能なドアと、
前記ドアを開いた状態で、前記画像形成装置本体に着脱可能なカートリッジを有し、
前記ドアは、前記ドアを閉じた状態で、前記カートリッジと接触する接触部を有する画像形成装置において、
前記ドアは、前記カートリッジを前記画像形成装置から取り外す際に、前記カートリッジに当接して、前記カートリッジを前記接触部と干渉しない経路を通るように規制する着脱経路規制部材を有することを特徴とする画像形成装置。
【請求項１９】
前記着脱経路規制部材は、前記カートリッジを前記接触部と干渉しない方向にガイドする斜面を有することを特徴とする請求項１７に記載の画像形成装置。
【請求項２０】
前記接触部は、前記ドアから突出しており、
前記着脱経路規制部材の斜面は、前記カートリッジを取り外す際に、前記カートリッジを前記ドアの前記接触部と干渉しない経路を通るように規制することを特徴とする請求項１８に記載の画像形成装置。
【請求項２１】
前記着脱経路規制部材は、前記ドアを開いた状態において、前記カートリッジを取り出す方向において、前記接触部を覆う様に設けられていることを特徴とする請求項１７乃至１９のいずれか１項に記載の画像形成装置。
【請求項２２】
前記カートリッジは、前記ドアを閉めた際に、前記着脱経路規制部材との接触を避けるための逃げ部を有することを特徴とする請求項１７乃至２０のいずれか１項に記載の画像形成装置。
【請求項２３】
前記接触部は、前記ドアを閉めた状態で、前記カートリッジへ電気信号を送る接点又は、前記カートリッジを位置決めする押圧部であることを特徴とする請求項１７乃至２１のいずれか１項に記載の画像形成装置。
【請求項２４】
前記カートリッジは、少なくとも感光体と現像器を有したプロセスカートリッジであることを特徴とする請求項１７乃至２２のいずれか１項に記載の画像形成装置。
【請求項２５】
画像形成装置本体に開閉可能なドアと、
前記ドアを開いた状態で、前記画像形成装置本体に着脱可能なカートリッジを有し、
前記ドアは、前記ドアを閉じた状態で、前記カートリッジと接触する接触部を有する画像形成装置において、
前記カートリッジは、前記カートリッジを前記画像形成装置本体から取り外す際に、前記ドアと当接して、前記カートリッジを前記接触部と干渉しない経路を通る様に規制する着脱経路規制部材を有することを特徴とするカートリッジ。
【請求項２６】
前記接触部は、前記ドアから突出しており、
前記着脱経路規制部材の突出し量は、前記接触部の前記ドアからの突出し量よりも大きいことを特徴とする請求項２４に記載のカートリッジ。
【請求項２７】
前記着脱経路規制部材は、前記カートリッジが前記画像形成装置本体内に位置している際、取り出し方向において、前記着脱経路規制部材の位置が、前記カートリッジの重心位置よりもドア側に設けられていることを特徴とする請求項２４または２５に記載のカートリッジ。
【請求項２８】
前記カートリッジは、前記カートリッジが前記画像形成装置本体内に位置している際に、前記着脱経路規制部材により支持されることを特徴とする請求項２４または２５に記載のカートリッジ。
【請求項２９】
前記着脱経路規制部材は、前記カートリッジを取り出す方向において、前記接触部の幅よりも大きい幅を有し、前記ドアを開いた状態において、前記カートリッジの着脱時に、前記カートリッジを取り出す方向において、前記接触部を覆うことを特徴とする請求項２４乃至２７のいずれかに記載のカートリッジ。
【請求項３０】
前記カートリッジは、少なくとも感光体と現像器を有したプロセスカートリッジであることを特徴とする請求項２５乃至２９のいずれか１項に記載のカートリッジ。